Podtech/llm-jp-corpus-v4-ja_patent huggingface dataset:
(57)【要約】      （修正有）【課題】二枚重ねの靴下やレッグウォーマーで満たされなかった温かさを、カイロ等を有効的に使用できる様にすることで冷え性に対応できるようにしたレッグウォーマーを提供する。【解決手段】レッグウォーマー１の内側にポケット２を設ける。ポケット２の大きさは、中にカイロ３が入る大きさである。ポケット２の位置はレッグウォーマー１の内側のどこに設けても良い。素材も温熱効果を得られるものであれば毛糸に限らない。長さは短縮時にはカイロ３の入る長さ、延長時には膝くらいまでの長さのものや大腿までの長さのものなどデザインにより異なる。【選択図】図２
0003170008.tif 000002
【実用新案登録請求の範囲】
【請求項１】
レッグウォーマーの内側にポケットを設け、ポケットにカイロ等を入れることができるレッグウォーマー。
【考案の詳細な説明】
【技術分野】
【０００１】この考案は寒い時に足を通す筒状に編んだレッグウォーマーに関するものである。
【背景技術】
【０００２】足が冷え過ぎて困る冷え性は女性に多く、このような状況に靴下の二枚重ねやレッグウォーマー等で対処している。【０００３】靴下やレッグウォーマーが遠赤外線やゲルマニウムの素材で作られているものがあった。このものは温熱効果があるといえど、冷えを十分に解消できるにはまだ不十分であった。【０００４】また靴底用や貼るカイロがあった。この温かさを効果的に使いたいが、直接ふくらはぎに貼ることができなかった。
【考案の概要】
【考案が解決しようとする課題】
【０００５】二枚重ねの靴下やレッグウォーマーで満たされなかった温かさを、カイロ等を有効的に使用できる様にすることで冷え性等の問題を解決しようとするものである。
【課題を解決するための手段】
【０００６】本案件はレッグウォーマーの内側にポケットを設け、ポケットにカイロ等を入れることができるポケット付きレッグウォーマーである。
【考案の効果】
【０００７】カイロを直接肌に貼らないので低温やけどを予防できる。また、従来のレッグウォーマーより温かさを感じることができる機会が得られる。
【図面の簡単な説明】
【０００８】
【図１】  本案件に係るポケット付きレッグウォーマーの表面図
【図２】  本案件に係るポケット付きレッグウォーマーの裏面図
【考案を実施するための形態】
【０００９】図２が示すように、レッグウォーマー１の内側にポケット２を設ける。ポケット２の大きさは中にカイロ等３が入る大きさである。
【００１０】簡易にコタツに入っているような温かさを感じることができる。温感を容易に感じることができ、冷え性等の予防にもなる。ポケット２の位置はレッグウォーマー１の内側のどこに設けても良い。素材も温熱効果を得られるものであれば毛糸に限らない。長さは短縮時にはカイロ等３の入る長さ、延長時には膝くらいまでの長さのものや大腿までの長さのものなどデザインにより異なる。
【００１１】レッグウォーマー    １
ポケット            ２
カイロ等            ３
【図１】
0003170008.tif 000003
【図２】
0003170008.tif 000004
(57)【要約】      （修正有） 【課題】芳香液が付着することを防ぎ、香りの強さを長時間持続でき、更には、花びら部分の色落ち等を防ぐことも出来る造花を提供する。【解決手段】任意の形状にした芯体２を造花１の内部に備え、数枚の花びら３で囲み、造花を構成する。必要に応じて花びら以外に葉や茎、ガク、めしべ、おしべ等を付加した造花にする。芯体は、ソラの茎部分を一定間隔に小口切りし、円柱形状にする。ここで、ソラとは、マメ科の植物であり、その多くは東南アジアに生息している。また、茎４は、針金５を薄紙で巻いたものを使用し、該針金５の一部が芯体に差し込んだ状態で固定しておく。花びら３は、ソラの木の皮をスライスしたものを使用して、着色し、任意の花びら形状を形成する。【選択図】図３
0003170053.tif 000002
【実用新案登録請求の範囲】
【請求項１】
ソラの木、桑の木、藤の木、布、紙より選択される１種を用いて形成された花びらを有する造花の内部に芯体を有し、該芯体は芳香液が含浸されていることを特徴とする造花。
【請求項２】
前記芯体は、ソラの木、桑の木、藤の木より選択される１種からなることを特徴とする請求項１に記載の造花。
【考案の詳細な説明】
【技術分野】
【０００１】
本考案は、芳香付き造花に関するものである。
【背景技術】
【０００２】
従来の芳香付き造花としては、容器中の芳香液が、吸収芯を介して花びらまで伝わり揮散するタイプが知られている。
【特許文献１】実願２００７−４２７５号
【考案の開示】
【考案が解決しようとする課題】
【０００３】
しかしながら、前記の考案であれば、花びら全体に芳香液が染み渡り拡散するため、芳香液が割と早く無くなり、また、花びらに触れると、芳香液が付着してしまう心配があった。
【０００４】
一方、前記考案のように吸収芯を使用せず、着色した花びら部分に芳香液を直接染み込ませる方法の場合、着色した花びら部分が芳香液に反応して色落ち、変色したりして、品質面に不安が残ることがあった。
【０００５】
本考案は、上記問題を解決するため成されたもので、芯体部分を芳香液等で含浸させ、該芯体部分の周りを花びらで囲んで造花を形成することで、芳香液が付着することを防ぎ、香りの強さを長時間持続できる造花を提供する。更には、花びら部分の色落ち等を防ぐことも出来る。
【課題を解決するための手段】
【０００６】
請求項１に記載の考案は、ソラの木、桑の木、藤の木、布、紙より選択される１種を用いて形成された花びらを有する造花の内部に芯体を有し、該芯体は芳香液が含浸されていることを特徴とする。
【０００７】
請求項２に記載の考案は、前記芯体は、ソラの木、桑の木、藤の木より選択される１種からなることを特徴とする。
【考案の効果】
【０００８】
本考案によれば、芳香液が付着することを防ぎ、香りの強さを長時間持続できる造花を提供できる。更には、花びら部分の色落ち等を防ぐことも出来る。
【考案を実施するための最良の形態】
【０００９】
任意の形状にした芯体２を造花の内部に備え、数枚の花びら３で囲み、造花１を構成する。必要に応じて花びら以外に葉６や茎４、ガク７、めしべ、おしべ等を付加した造花にする。
【実施例】
【００１０】
以下、図面を参照して本考案に係る造花の実施例を説明する。
図１は、本考案の、造花の外観の図である。図２は、本考案の、造花の内部構造図であり、図３は、本考案の、造花の芯体断面図である。
【００１１】
まず、芯体２の一端に茎４を取り付け、該芯体２の周りを複数枚の花びら３で重ね合わせて囲むようにして、該各花びら３の一端を、芯体２の一端と茎４の接合部付近で合着させて、任意の造花１を形成させる。
【００１２】
芯体は、実施例ではソラの茎部分を一定間隔に小口切りし、図２のように円柱形状にする。本考案の芯体であれば、十分に芳香液を吸収し、香りの強さを長時間持続できる。
【００１３】
ここで、ソラとは、マメ科の植物であり、その多くは東南アジアに生息している。
【００１４】
また、茎４は、針金５を薄紙で巻いたものを使用し、図３のように該針金５の一部が芯体に差し込んだ状態で固定しておく。
【００１５】
花びら３は、ソラの木の皮をスライスしたものを使用して、着色し、任意の花びら形状を形成する。
【００１６】
こうして完成させた造花１の種類は、特に限定されず、現存する種類の花形状を模することが出来る。そのような造花の種類としては、例えば、カメリア、マーガレット、チューリップ、アネモネ、カーネーション、ローズ、リリー、サンフラワー、ダリア、ガーベラ、ピオニー、アゼレア等が挙げられる。
【００１７】
また、本考案において、香料は、特に制限されず、芳香剤に用いられる公知の香料を用いることができる。そのような香料としては、例えば、ムスク、アンバー、シベット等の動物性香料、例えば、ローズ、ジャスミン、ラベンダー、イランイラン、オレンジ、レモン、バニラ、ペパーミント、シトロネラ、サンダルウッド等の植物性香料、例えば、ゲラニオール、リナロール、１−メントール、バニリン、オイゲノール、シトラール、酢酸イソアミル、フェニルエチルアルコール、シトロネロール、ネロール等の合成香料等が挙げられる。これらの香料は、複数の成分を組み合わせて用いても良く、また、単一成分のみを用いても良い。
【００１８】
なお、花びら３、芯体２以外の造花構成部分である、ガク７、茎４、葉６等の素材は、特に制限されず、例えば、布製、紙製、プラスチック製、セラミックス製などでも良く、適時めしべ、おしべを付加しても、反対に茎４や葉６を付加しない造花であっても構わない。
【００１９】
実施例では、省略したが、芯体の素材が、桑の木、藤の木であっても、同様の効果が期待できる。
【００２０】
このように、好ましい実施例を挙げて本考案を説明したが、本考案はその実施例に限定されるものではなく、本考案の要旨の範囲内で種々に改変できる。
【図面の簡単な説明】
【００２１】
【図１】本考案の、芳香付き造花の外観の図である。
【図２】本考案の、芳香付き造花の内部構造図である。
【図３】本考案の、芳香付き造花の芯体断面図である。
【符号の説明】
【００２２】
１  造花
２  芯体
３  花びら
４  茎
５  針金
６  葉
７  ガク
【図１】
0003170053.tif 000003
【図２】
0003170053.tif 000004
【図３】
0003170053.tif 000005
(57)【要約】      （修正有）【課題】耐久性、耐候性の大きい建材を容易に大量生産できる軽量建材を提供する。【解決手段】ロックウール及び／又はセラミックスウールと水硝子と水との混合物よりなる溶液を漉いて成形し、これを乾燥し、これにフェノール層を設け、更にセラミックス遮熱塗装を施したことを特徴とする。また、型を用い漉いて成形するので、同一形状、同一品質の建材を容易に得ることができる効果がある。【選択図】図１
0003170428.tif 000002
【実用新案登録請求の範囲】
【請求項１】
ロックウール又はセラミックスウールと水硝子と水との混合液よりなる溶液を型で漉いて成形し、これを乾燥したことを特徴とする軽量建材。
【請求項２】
ロックウール及び／又はセラミックスウールと水硝子と水との混合液よりなる溶液を型で漉いて成形し、これを乾燥し、その表面にフェノール層を設けたことを特徴とする軽量建材。
【請求項３】
ロックウール及び／又はセラミックスウールと水硝子と水との混合液よりなる溶液を型で漉いて成形し、これを乾燥し、その表面にフェノール層を設けた後、その外側へセラミックス遮熱塗装をしたことを特徴とする軽量建材。
【考案の詳細な説明】
【技術分野】
【０００１】  この考案は、ロックウール又はセラミックスウールの一方又は両方と、水硝子とを原料とする軽量、強靱、不燃の軽量建材に関するものである。
【背景技術】
【０００２】  従来、瓦又はタイルなどの建材は、粘土を主材料としている耐久性、耐候性に優れた建材として多用されているが、重量が大きく、かつ割れやすいなどの問題点も知られている。
【先行技術文献】
【特許文献】
【０００３】
【特許文献１】特開２００６−１７７０７８
【特許文献２】特開２００６−１７７０７７
【特許文献３】特開平９−４８６７８
【考案の概要】
【考案が解決しようとする課題】
【０００４】  従来知られている瓦又はタイルなどの建材は、耐久性、耐候性に優れているので、建材として多用されているが、比較的重量が大きいこと及び割れやすい問題点があった。そこで、難燃性繊維を含む熱硬化性樹脂よりなる樹脂瓦の提案がある（特許文献１、２）。【０００５】  また、セメント及び砂を材料とし、これに無機発泡体を混入した軽量スレートの提案もある（特許文献３）。【０００６】  前記樹脂瓦については、樹脂の特性上耐熱性に欠けるところがあり、発泡した軽量スレートについては、発泡体を含むことによる強度低下などの制約があり、更なる改善を求められていた。
【課題を解決するための手段】
【０００７】  この考案は、ロックウール、セラミックスウール及び水硝子を主材とするものであるから、軽量、強靱、断熱性、不燃性、耐久性及び耐候性を有し、前記問題点を悉く解決したものである。【０００８】  この考案は、水硝子の水溶液に、ロックウール又はセラミックスウールの単独又は混合物を入れて撹拌して粘稠液とした後、これを型に入れて任意の建材に漉き上たもので、その特性は表１のとおりである。【表１】
0003170428.tif 000003
【０００９】  前記考案の建材は耐久性に優れており、太陽光の直射に対しても昇温が少ない。【００１０】（実験例１）  従来の粘土瓦と、この考案の瓦とを直射日光下に３時間置いたところ、表２の結果を得た。【表２】
0003170428.tif 000004
【００１１】前記により明らかなように、考案の瓦には蓄熱性がなく、表裏共に２５℃以上にならなかった。【００１２】  この考案は、水硝子の水溶液に、ロックウール又はセラミックスウールを入れて撹拌し、前記ロックウール又はセラミックスウールが混合して全体が繊維入り粘稠液になった時に、この粘稠液を型で漉いて成形した後、乾燥すれば、この考案の軽量建材ができる。【００１３】  この考案の軽量建材は、従来多用されている粘土を原料とする瓦又はタイルに比して、著しく軽量、強靱であって、従来の建材の問題点を是正したものである。また、粘稠液を型で漉いて成形固化することによって、建材製品ができるので、同一品質の製品を容易に多量生産することができる。
【考案の効果】
【００１４】  この考案によれば、耐久性、耐候性の大きい軽量建材を容易に多量生産できる効果がある。【００１５】  また、型を用い漉いて成形するので、同一形状、同一品質の建材を容易に得ることができる効果がある。
【図面の簡単な説明】
【００１６】
【図１】（ａ）この考案の瓦を製造する行程を示すブロック図、（ｂ）同じく建材の断面図。
【考案を実施するための形態】
【００１７】  この考案の実施例について説明する。
【実施例１】
【００１８】  水１００ｇに対し、水硝子５％〜１０％（重量）を加えて水硝子混合水を作る。次に、原料（ロックウール又はセラミックスウール）１００ｇに対し、前記水硝子混合水３００ｇ〜５００ｇを入れて撹拌混合すると、繊維（原料）を含んだ粘稠状（どろどろ）のウール液ができる。【００１９】  このウール液を金型で漉いて所定型状の本体１（瓦、タイルなど）とし、これを乾燥し、外面にフェノール層２を設け、更にセラミック層４を設ければ、この考案の建材ができる。図中３は繊維である。【００２０】  前記における水に対する水硝子の量を５％〜１０％（重量）としたが、作業上最も取扱い容易の量としたもので、水硝子が１０％を超すと水硝子過多となって、混合物の粘稠性が増加する故、５％〜１０％が適切である。
【実施例２】
【００２１】  水１００ｇに対し、水硝子５％〜１０％（重量）を加えて水硝子混合水を作る。【００２２】次に、原料（ロックウール又はセラミックスウールの等量混合物）１００ｇに対し、前記水硝子混合水３００ｇ〜５００ｇを入れて撹拌混合すると、繊維（原料）を含んだ粘稠状のウール液ができる。【００２３】  このウール液を金型で漉いて所定型状の本体１（瓦又はタイルなど）となるので、これを乾燥してから、外面にフェノール層２を設け、更にセラミック遮熱塗装を施し、セラミック層４を設ければ、この考案の瓦又はタイルができる。【００２４】  前記において、水硝子は形状確定の効果があり、全体として断熱性に優れている。また、フェノール層を設けることにより、ウールの硬化を一層確実にし、強度を増強する。表１における破壊高さ３００ｃｍは、フェノール層を設けたことにより性質を改善したものである。【００２５】  この考案の軽量建材は、外装材として用いるときには、最外側へセラミックス遮熱塗装をするが、内装材（断熱材その他）に使用する場合には、セラミックス遮熱塗装を省略しても十分効果がある。【００２６】  また、フェノール層に代えて、同等（硬化、安定化）の効果を有する材料を使用することもできる。前記フェノール層は、吹き付け、浸漬、塗装など従来公知の方法を用いて設けることができる。
【符号の説明】
【００２７】１  本体２  フェノール層３  繊維４  セラミック層
【図１】
0003170428.tif 000005
(57)【要約】      （修正有）【課題】携帯電話の画面を見ながらでも、自分の後方が確認できるバックチェックミラーを提供する。【解決手段】携帯電話本体Ｘの画面Ｙの上部・左右両端の外枠との間のスペース１に、復元可能な合成樹脂素材を用い、内部を空洞化すると共に、空気穴を形成してなる半球面体２をミラー加工し、両面テープを用いて設置して、画面Ｙを見ながらでも自分の後方が確認できるようにしてバックチェックミラーを形成する。【選択図】図２
0003170472.tif 000002
【実用新案登録請求の範囲】
【請求項１】
携帯電話本体（Ｘ）の画面（Ｙ）の上部・左右両端の外枠との間のスペース（１）に、復元可能な合成樹脂素材を用い、内部を空洞化すると共に、空気穴を形成してなる半球面体（２）をミラー加工し、両面テープ（２ａ）を用いて設置して、画面（Ｙ）を見ながらでも自分の後方が確認できることを特徴とするバックチェックミラー。
【考案の詳細な説明】
【技術分野】
【０００１】
この考案は、携帯電話本体に装着するバックチェックミラーに関する。
【背景技術】
【０００２】
携帯電話は現在の社会においては、主要な移動通信手段であり、使用者は外出する際には肌身離さず携帯するものであり、この携帯電話には表示パネルが設けられており、電話をかける相手方の電話番号やユーザＩＤ、パスワード等の他人には見られたくない情報が表示されており、これらの情報が使用中に後方から見られてしまう恐れがある。
【０００３】
この問題に対して、覗き見防止フィルムなどはあるが、携帯電話の画面を見ながら自分の後方を確認できるツールは売られていない。
【０００４】
その他、後方確認用の鏡を設けた携帯用品は存在している。しかし、この携帯用品は、防犯ブザーであり、しかも、凸面鏡には保護カバーが装着されており、緊急時に後方を確認するには煩雑であった。例えば、特許文献１のように。
【０００５】
さらに、携帯電話に鏡部が設けられたものも存在する。しかし、この鏡部は、女性が身だしなみで見る程度のものであり、後部を確認するためのものではない。例えば、特許文献２のように。
【先行技術文献】
【特許文献】
【０００６】
【特許文献１】特開２００１−１６０１８４号公報
【特許文献２】特開２００３−０３２３４５号公報
【考案の概要】
【考案が解決しようとする課題】
【０００７】
そこで、この考案は、携帯電話の画面を見ながらでも、自分の後方が確認できるバックチェックミラーを開発・提供することにある。
【課題を解決するための手段】
【０００８】
この考案は、折りたたみ式あるいは非折りたたみ式（ストレート型）の携帯電話本体（Ｘ）の上部・左右両端の画面（Ｙ）と外枠との間のスペース（１）に、ミラー加工した半球面体（２）からなるバックチェックミラーを設置するものである。
【考案の効果】
【０００９】
この考案によると、ストレート型の携帯電話に装着した場合、画面を見ながらでも、自分の後方の状況を確認することができ、覗き見などを防ぐことが可能となる。
パソコンを設置するなど、覗き見を防ぎたい多くの場面で応用して活用できるため、潜在需要は多くあるものである。
【図面の簡単な説明】
【００１０】
【図１】この考案の一実施例を示すバックチェックミラーの正面図である。
【図２】この考案の一実施例を示すバックチェックミラーの使用状態を示す正面図である。
【考案を実施するための形態】
【００１１】
この考案の実施をするための最良の形態について説明すると、携帯電話本体の画面の上部・左右両端の外枠との間のスペースに、ミラー加工した半球面体を両面テープなどを用いて装着するバックチェックミラーである。
【実施例】
【００１２】
次に、この考案の一実施例を図面に基づいて詳細に説明すると、ストレート型携帯電話本体（Ｘ）の画面（Ｙ）の上部・左右両端の外枠との間のスペース（１）に、ミラー加工した半球面体（２）を設置して、画面を見ながらでも自分の後方が確認できることを特徴とするバックチェックミラーから構成されるものである。
尚、ミラー加工した半球面体（２）は、両面テープ（２ａ）などを用いて装着する。また、（２ｂ）は、剥離紙である。
【００１３】
ミラー加工した半球面体（２）の材質は、ストレート型携帯電話本体の場合は、プラスチックなど硬質の物を使用する。
【００１４】
さらに、ミラー加工した半球面体（２）の材質は、折りたたみ式の携帯電話の場合には、折りたたんだ際にバックチェックミラーが押しつぶされ、また、開いた際に、半球面体の形状に戻らなければならないので、形状の変化に対応でき、しかも原形に復活可能な材質をミラー加工する必要がある。樹脂などを用い、内部を空洞化する場合は内部の空気が出入りできる空気穴なども必要になってくるものと考えられる。
【産業上の利用可能性】
【００１５】
この考案によると、バックチェックミラーの技術を確立し、実施・販売することにより産業上の利用可能性がある。
【符号の説明】
【００１６】
１  スペース
２  ミラー加工した半球面体
２ａ  両面テープ
２ｂ  剥離紙
Ｘ  携帯電話本体
Ｙ  画面
【図１】
0003170472.tif 000003
【図２】
0003170472.tif 000004
(57)【要約】【課題】  ハンドセットの懸架について、外部から荷重が加わった場合においても、ハンドセットが落下し難いハンドセットの保持構造を提供する。【解決手段】  ハンドセット２１載置時にブラケット２２の底面及び側面以外すべてを覆い、側面にブラケット突起部３１を設けたことにより、ハンドセット２１の周囲がブラケット２２とブラケット突起部３１に押さえられ、外部から荷重が加わった場合においても、ハンドセット２１の落下を防止する。【選択図】  図１
0003170460.tif 000002
【実用新案登録請求の範囲】
【請求項１】
壁掛け可能な電話機におけるハンドセットの保持構造であって、
自電話機の本体は、前記ハンドセットを載置する部位の一方の側面にハンドセットを横から挿入するハンドセット挿入口と、前記ハンドセットを載置する部位の底面に前記ハンドセットを当該ハンドセットの受話部分の構造で保持するブラケット構造を有し、前記ハンドセット挿入口に前記ハンドセットの落下を防止する突起構造を設けたことを特徴とする壁掛け可能な電話機におけるハンドセット保持構造。
【考案の詳細な説明】
【技術分野】
【０００１】
本考案は、壁掛け可能な電話機に関するものである。
【背景技術】
【０００２】
ハンドセットを壁掛け電話機本体に掛ける際、チップ等を使用し、重力方向に対して懸架する技術がある（例えば特許文献１）。
【先行技術文献】
【特許文献】
【０００３】
【特許文献１】特開平０７−３２７０６７号公報
【考案の概要】
【考案が解決しようとする課題】
【０００４】
しかしながら、特許文献１に記載された筐体構造は、チップがあることによって重力方向への荷重には効果を発揮するが、チップの側面方向の荷重または反重力方向からの荷重が加わると簡単に落下してしまう欠点があった。
【０００５】
そこで、本考案の課題は、ハンドセットの懸架についてハンドセットが落下し難いハンドセットの保持構造を提供することにある。
【課題を解決するための手段】
【０００６】
上記の課題を解決するために、本考案は、壁掛け可能な電話機におけるハンドセットの保持構造であって、自電話機の本体は、前記ハンドセットを載置する部位の一方の側面にハンドセットを横から挿入するハンドセット挿入口と、前記ハンドセットを載置する部位の底面に前記ハンドセットを当該ハンドセットの受話部分の構造で保持するブラケット構造を有し、前記ハンドセット挿入口に前記ハンドセットの落下を防止する突起構造を設けたことを特徴とする。
【考案の効果】
【０００７】
本考案によれば、ハンドセット載置後はハンドセット上部がブラケット内部に納まることとなり、壁掛けの状態であっても、ブラケットに設けた突起によって、振動等によるハンドセットの落下を防止する効果がある。
【図面の簡単な説明】
【０００８】
【図１】本考案による一実施例を示す図
【図２】図１のＡ−Ａ線に沿った断面図
【図３】従来構造の一実施例を示す図
【考案を実施するための形態】
【０００９】
以下、図面を参照して本考案の実施の形態について詳細を説明する。
【００１０】
図１は、本考案による一実施例を示す図である。１１は電話機筐体、２１はハンドセット、２２はブラケット、３１はブラケット突起部である。
【００１１】
図２は、図１のＡ−Ａ線に沿った断面図を斜視したものである。ハンドセット２１は、ブラケット２２の横から挿入するハンドセット挿入口からハンドセットの落下を防止するブラケット突起部３１を超え、横方向にスライドさせながらブラケット２２の内部に載置する。ハンドセット２１は、周囲をブラケット２２とブラケット突起部３１に押さえられ、荷重が加わった場合においても、ハンドセット２１が落下することを防止する効果がある。
【００１２】
以下、従来の構造と対比して、本考案の作用と効果を説明する。
図３は、従来構造の一実施例を示す図である。４１はハンドセット、４２はブラケット、５１はブラケット突起部、５２はハンドセット穴部である。ハンドセット４１は、ハンドセット穴部５２をブラケット突起部５１に被せることでブラケット４２に載置される。ハンドセット４１は、ブラケット突起部５１の他に載置状態を押さえられるものがなく、側面方向または反重力方向の荷重が加わると落下してしまう。
【００１３】
これに対し、ブラケット２２は、ハンドセット２１載置時にブラケット２２の底面及び側面以外は、すべて覆っている。さらに側面にはブラケット突起部３１が設けられているため、ハンドセット２１の側面方向からの落下を防止し、さらにブラケット２２がハンドセット２１を覆っているため、重力方向からの荷重が加わった場合においても、ハンドセット２１が外れることはない。よって、荷重が加わった場合においても、ハンドセット２１の落下を防止する効果がある。
【００１４】
以上説明した通り、本考案によれば、ハンドセット２１に荷重が加わった場合においても、ハンドセット２１の落下を防止するハンドセットの保持構造を提供できる。
【符号の説明】
【００１５】
１１    電話機筐体
２１    ハンドセット
２２    ブラケット
３１    ブラケット突起部
４１    ハンドセット
４２    ブラケット
５１    ブラケット突起部
５２    ハンドセット穴部
【図１】
0003170460.tif 000003
【図２】
0003170460.tif 000004
【図３】
0003170460.tif 000005
(57)【要約】      （修正有）【課題】一人で集積作業が出来、装着器を使用することで、時間短縮と人員削減に役立つ土嚢袋簡易底無し装着器を提供する。【解決手段】円錐台状で上部に末広がりの筒型形状であり、上端部に上部回り縁が設けられていて、該上部回り縁の下部に下部回り縁が設けられていて、前記上部回り縁から前記下部回り縁に向けて斜め状の突起物を４カ所取り付けられてなることを特徴とする。【選択図】図１
0003170454.tif 000002
【実用新案登録請求の範囲】
【請求項１】
円錐台状で上部に末広がりの筒型形状であり、上端部に上部回り縁が設けられていて、該上部回り縁の下部に下部回り縁が設けられていて、前記上部回り縁から前記下部回り縁に向けて斜め状の突起物を４カ所取り付けられてなることを特徴とする土嚢袋簡易底無し装着器。
【考案の詳細な説明】
【技術分野】
【０００１】
本考案は、土嚢袋に産業廃棄物等を集積する土嚢袋簡易底無し装着器に関するものである。
【背景技術】
【０００２】
産業廃棄物等や地震や水害時に残土や砂を土嚢袋に集積時、集積作業を二人一組でしている所が見受けられる。
【考案の概要】
【考案が解決しようとする課題】
【０００３】
前述の集積作業をする時二人一組で行う為、時間的負担と労働的負担があるという欠点があり、この欠点を解決することを課題とものである。
【課題を解決するための手段】
【０００４】
上記課題を解決するために、本考案の土嚢袋簡易底無し装着器は、円錐台状で上部に末広がりの筒型形状であり、上端部に上部回り縁が設けられていて、該上部回り縁の下部に下部回り縁が設けられていて、前記上部回り縁から前記下部回り縁に向けて斜め状の突起物を４カ所取り付けられてなることを特徴とする。
【考案の効果】
【０００５】
上述のように、本考案は一人で集積作業が出来、土嚢袋簡易底無し装着器を使用することで、時間的問題と労働的問題は、時間短縮と人員削減の軽減に役に立つ効果がある。
【図面の簡単な説明】
【０００６】
【図１】本考案の土嚢袋簡易底無し装着器の実施例を示す正面図である。
【図２】土嚢袋簡易底無し装着器の一部切欠断面図である。
【考案を実施するための形態】
【０００７】
本考案の土嚢袋簡易底無し装着器は、円錐形状筒の下部の方から土嚢袋を下部回り縁まで挿入装着した状態で、その場に立て置きして集積作業を行う。
【実施例】
【０００８】
以下、添付図面に従って一実施例を説明する。１は各種のプラスチックス・エンビ等適宜素材にて一体化形成された円錐台状の土嚢袋簡易底無し装着器本体、２は作業者の両指先が掛かる程度の上部回り縁、３は土嚢袋を留めるための下部回り縁、４は土嚢袋簡易底無し装着器を重ねる為に設けられた４個の斜め状の突起物である。
【図１】
0003170454.tif 000003
【図２】
0003170454.tif 000004
(57)【要約】      （修正有）【課題】コーキング施工箇所が狭く距離があっても、施行不良が生じにくいコーキングノズルを提供する。【解決手段】コーキングノズルを長尺で、軟質かつ透明とする。コーキング用カートリッジ容器との接続部分から、コーキングノズルの先端部分まで、ノズル内に軟質針金を備える。【選択図】図１
0003170498.tif 000002
【実用新案登録請求の範囲】
【請求項１】
コーキングノズルに、先端を長いケーシング状で、軟質又、透明のコーキングノズルとする、万能コーキングノズル。
【請求項２】
長いコーキングノズルの先端部分まで、軟質針金入りとし、施工箇所に、ノズル部分を調整し固定して使用することができる請求項１に記した、万能コーキングノズル。
【考案の詳細な説明】
【技術分野】
【０００１】建築工事に属する、コーキング工事の自在ノズルを提供する。
【背景技術】
【０００２】コーキングノズルが、施工箇所に届かない場合がある。
【先行技術文献】
【０００３】
【特許文献】
【０００４】
【特許文献１】特開  ２００８−２６１１４１
【考案の概要】
【考案が解決しようとする課題】
【０００５】  コーキング工事施工箇所が狭く距離がある、場合、施工不良を、生ずる。
【課題を解決するための手段】
【０００６】  コーキングノズルを、長くし軟質系の針金を、挿入する。
【考案の効果】  狭い場所においても、施工不良が、少なくなった。
【図面の簡単な説明】
【０００７】
【図１】コーキングノズルの姿図である。
【図２】コーキングノズル先端の断面図である。
【考案を実施するための形態】
【０００８】  狭い場所を、施工する際、標準ノズルでは先端が施工箇所に届かない、長い軟質針金入りノズルにて長さ、位置を調整し、ノズル及び先端部を固定して施工する。
【０００９】
【符号の説明】
【０００１０】ａ，方向自在、固定用、挿入軟質系針金
ｂ，長いコーキングノズル
【図１】
0003170498.tif 000003
【図２】
0003170498.tif 000004
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
コーキングノズルを長尺で、軟質かつ、透明とする、コーキングノズル。
【請求項２】
コーキング用カートリッジ容器との接続部分から、コーキングノズルの先端部分まで、ノズル内に、軟質針金を備えていて、施工箇所に、ノズル先端部分を調整し固定して使用することができる、請求項１に記した、コーキングノズル。
【手続補正３】
【補正対象書類名】明細書
【補正対象項目名】全文
【補正方法】変更
【補正の内容】
【考案の詳細な説明】
【技術分野】
【０００１】建築工事に属する、コーキング工事の自在ノズルを提供する。
【背景技術】
【０００２】コーキングノズルが、施工箇所に届かない場合がある。【０００３】
【先行技術文献】
【特許文献】
【０００４】
【特許文献１】特開  ２００８−２６１１４１
【考案の概要】
【考案が解決しようとする課題】
【０００５】コーキング工事施工箇所が狭く距離がある、場合、施工不良を、生ずる。
【課題を解決するための手段】
【０００６】コーキングノズルを、長くし軟質系の針金を、挿入する。
【考案の効果】狭い場所においても、施工不良が、少なくなった。
【図面の簡単な説明】
【０００７】
【図１】コーキングノズルの姿図である。
【図２】コーキングノズル先端の断面図である。
【考案を実施するための形態】
【０００８】    狭い場所を施工する際、標準ノズルでは先端が施工箇所に届かない、長い軟質針金入りノズルにて長さ位置を調整し、先端部を固定して施工する。
【０００９】
【符号の説明】
【０００１０】ａ，方向自在、固定用、挿入軟質系針金
ｂ，長いコーキングノズル
(57)【要約】      （修正有）【課題】小ネギは根を洗うには水とエアーを使って洗い、エアーのコンプレッサーを用いて洗っているが、コンプレッサーを使わないで洗うことのできる小ネギ根元洗い古皮取り機を提供する。【解決する手段】散布の水が外部に出ない様に回転ブラシにカバーを付けて外部へ水が出ない様にする。下部回転ブラシは水溜めを付けて回転ブラシに水を付けて回転する。小ネギの根元を洗い古皮を同時に取れるようにする。水は水道より連結してノズルを使って散布することにより使用する水の量を少なくする。回転ブラシを上下取付けて上の回転ブラシは上下移動できる。ネギをテーブルの上に置いて上の回転ブラシがペダルを足で踏むと降りてくる。【選択図】図２
0003170497.tif 000002
【実用新案登録請求の範囲】
小ネギ根元洗い古皮取ることの出来る機械。
１．本体フレームに２．回転ブラシ取付け枠に４．のシャフトに６．のブラシ取付け軸に７．のブラシ７−３．ゴム板又はスポンジ板をセットして外部に水が外に出ないように１１．のカバー取付けてカバーに水溜めを作りブラシが回転するとき水を付けて回転するようにする、余分な水は外に１１−１．排水する。
上部の３．軸受枠下部同様回転ブラシを取付けて外部に８．のカバー取付けて水が外に出ない様にする。カバー上部に１０．ノズル取付け管に９．のノズルを取付けて１０−１．ホースに水道を連結して水を出してノズルより回転ブラシに散布することが出来る。３．回転ブラシを上下に移動する１３．の軸を設置して軸に１４．アーム取付けて１５．ロットエンドに１６．ロット棒１６−１．のシャフト連結して１６−３．のペダルをセットして１２．のスプリングで３．回転ブラシ取付け枠を上に吊り上げる。１−２．テーブルの上に小ネギを並べて置いて１６−３．ペダルを足で踏むと上部回転ブラシが降りて来て上下の回転ブラシで一度に洗い落とすことが出来ることを特徴とする小ネギ根元洗い古皮同時取り機。
【考案の詳細な説明】
【技術分野】
【０００１】小ネギは市場に出荷するには根を付けてよく洗って出荷する様になって居ます。全国で年間ビニールハウス使って栽培して居ます。又水耕栽培も全国で栽培して居ます、又面積を多く栽培して居る人は機械化していますが、小ネギは根を洗うには水とエアーを使って洗って居ます。エアーのコンプレッサーは１５馬力使用のもので水とエアーを使って洗って居ます。機械価格も高くなりますので、少ない面積を栽培して居る方は機械を導入するのが大変ですので、今回はコンプレッサーを使わない方法で洗うことのできる機械を考案する。
【背景の技術】
【０００２】現在はエアーと水を使って洗って居ます。又水槽でブラシを使って洗う方法で作業しています。
【考案の開示】
【考案が解決しようとする課題】
【０００３】小ネギ根元を上下に回転ブラシを使い水は水道よりノズル使って散布し水が外部へ出ない様にして、ネギをテーブル上に置いて上の回転ブラシが下りて上下回転ブラシで洗うことが出来る様にする。足でペダルを踏むと上部回転ブラシが降りて来て上下回転ブラシで洗い落とすことが出来る様にする。水はノズルから散布して下部カバーに入り余分な水は排水する様にする。
【課題を解決するための手段】
【０００４】散布の水が外部に出ない様に回転ブラシにカバーを付けて外部へ水が出ない様にする。下部回転ブラシは水溜めを付けて回転ブラシに水を付けて回転する方法にする。小ネギの根元を洗い古皮を同時に取れるようにする。水は水道より連結してノズルを使って散布する方法により使用する水の量を少なくする。回転ブラシを上下取付けて上の回転ブラシは上下移動できる方法とする。ネギをテーブルの上に置いて上の回転ブラシが下に降りて来る様にする。ペダルを足で踏むと降りてくる方法とする。
【考案の効果】
【０００５】水量をノズル使う事により少なくすみ、回転ブラシへ散布して水も外部に出ない様にカバーがあるので外に出ないので作業も楽に出来る。テーブルの上に小ネギを並べて置いて足でペダルを踏むと上部回転ブラシが降りて来て小ネギの根元を洗うと同時に古皮が取れるので作業も楽になる。
【実施例】
【０００６】テーブル上に小ネギを並べて置いて足でペダルを踏むと上部回転ブラシが降りて来て上下回転ブラシで洗い落とすことが出来て古皮も同時に取れて能率も上がり作業も楽になる。又ノズルを使うことで水量も少なく洗うことが出来る。
【図面の簡単な説明】
【０００７】
【図１】小ネギ洗い皮取り機の斜視図
【図２】側面断面図と作業図
【図３】正面回転ブラシ断面図
【図４】回転ブラシ断面図
【図５】小ネギ栽培例・洗う方式図
【符号の説明】
【０００８】（Ａ）小ネギ土の栽培（Ｂ）小ネギ水耕栽培（Ｃ）洗う方法（Ａ．Ｂ−１）根
（Ｂ２）スポンジ
（１）本体フレーム（１−２）テーブル
（２）下部回転ブラシ取付け枠
（３）上部回転ブラシ取付け枠
（４）シャフト
（５）ベアリング
（６）ブラシの取付け軸
（７）ブラシ（７−１）取付金具（７−２）ネジ（７−３）ゴム板
（７−４）取付け金具
（８）上部回転ブラシカバー
（９）ノズル
（１０）ノズル取付け管（１０−１）ホース
（１１）下部回転ブラシカバーに水溜める（１１−１）排水ホース
（１２）スプリング（１２−１）スプリング止
（１３）上下移動軸
（１４）アーム
（１５）ロットエンド
（１６）ロット棒（１６−１）下部シャフト（１６−２）アーム
（１６−３）ペダル
（１７）プリー
（１８）モーター
（１９）スイッチ
【図１】
0003170497.tif 000003
【図２】
0003170497.tif 000004
【図３】
0003170497.tif 000005
【図４】
0003170497.tif 000006
【図５】
0003170497.tif 000007
【手続補正書】
【提出日】平成23年6月28日(2011.6.28)
【手続補正１】
【補正対象書類名】実用新案登録請求の範囲
【補正対象項目名】全文
【補正方法】変更
【補正の内容】
【実用新案登録請求の範囲】
【請求項１】
本体フレーム１の下部回転ブラシ取付け枠４に、ゴム板又はスポンジ板をセットした回転ブラシ７を軸支し、外部に水が外に出ないようにカバー１１を取付け、カバー１１に水溜めを作りブラシ７が回転するとき水を付けて回転するようにし、余分な水は外に排水可能とし、  本体フレームの上部に上部回転ブラシ取付け枠３を設置し、上部回転ブラシ取付け枠３にも回転ブラシを軸支し、外部に水が外に出ないようにカバー８を取付け、カバー８上部にノズル９を取付け、ノズル管１０により水道を連結し、水を回転ブラシに散布可能とし、  上部回転ブラシ取付け枠３は軸１３により本体フレームの上部に回動可能に設置され、軸１３にはアーム１４を取付けロットエンド１５にロット棒１６−１のシャフトを連結しペダル１６−３をセットし、さらにスプリング１２により上部回転ブラシ取付け枠３を上に吊り上げ、  本体フレームに設置したテーブル１−２の上に小ネギを並べて置いてペダル１−６−３を足で踏むと上部回転ブラシ取付け枠３が降りて来て上下の回転ブラシで一度に洗い落とすことが出来る事を特徴とする、小ネギ根本荒い古皮同時取り機。
(57)【要約】【課題】  本考案は陸上競技の走行、競歩、或いはその練習中に、サングラスや眼鏡、イヤーホンの使用を妨げず、汗の流れを止めずに、且つ又振り向く事無く後方状況を広角に見る事が出来、個々の使用者が容易に焦点を合わせる事が可能な陸上競技用頭部装着鏡を提供する。【解決手段】  本考案は頭部形状に沿わずに所々に隙間を設けたヘッドバンドを、後頭部と左右の耳の前部分でアジャスターを使用して頭部に固定し、その左右の耳部分から伸ばした被覆線の先に角度付き複数の鏡を付け、使用者は被覆線の曲げ伸ばしによって鏡との焦点を合わせ、その鏡によって走行中の後方状況の視覚的確認を行う。【選択図】図３
0003170499.tif 000002
【実用新案登録請求の範囲】
【請求項１】
走行運動中に後方を視覚的に確認する鏡を左右面前に設ける為に、ヘッドバンドを用いて左右面前の鏡を繋げるが、発する汗の流れ道にする為にヘッドバンドを頭の形状に沿わせず、ヘッドバンドの所々に隙間を設けた構造を特徴とする陸上競技用頭部装着鏡。
【請求項２】
走行運動中に後方を視覚的に確認する鏡を左右面前に設ける為に、左右の耳架けから延ばした被覆線の先に鏡を取り付け、被覆線を曲げたり伸ばしたりする事で、被覆によって金属疲労による断線時にも落下防止をしながら鏡を使用者の焦点に合わせる事を特徴とする陸上競技用頭部装着鏡。
【請求項３】
走行運動中に後方を視覚的に確認する鏡を左右面前に設ける為に、請求項２記載のそれぞれ角度を付けた複数の一体型鏡によって、１面の鏡よりも広範囲に後方が見える事を特徴とする陸上競技用頭部装着鏡。
【考案の詳細な説明】
【技術分野】
【０００１】  本考案は陸上競技のランニング、徒歩、或いはジョギング中に、振り返らずに後方状態を視覚的に知る事に関する物である。
【背景技術】
【０００２】  以前は陸上競技のランニング、徒歩、或いはジョギング中に後方状態を視覚的に知る為には、競技者本人が振り向いていた。
先行技術文献上では、頭部形状に沿ったヘッドバンドと耳穴に端子を入れる事で面前の鏡を保持して後方を見る方法、眼鏡の左右枠に単面の鏡を装着した方法が有る。
【先行技術文献】
【特許文献】
【０００３】
【特許文献１】  第４３７８７３８号
【０００４】
【特許文献２】  特開平９−２８１４４９号
【考案の概要】
【考案が解決しようとする課題、１】
【０００５】  従来技術では、ヘッドバンドを使用して運動する際に、汗や雨の流れをヘッドバンドで一時的に留め、使用者に不快感が起こる問題点が有った。
【課題を解決する為の手段】
【０００６】  本考案は、ヘッドバンドの形状をアジャスター付きで、使用者の頭部形状に沿わない異なる形状に意図的に作製する事で頭部とバンドの間に隙間を造り、運動中の汗や雨の通り道にする事で問題解決をしている。
【考案の効果】
【０００７】  上述のように本考案の陸上競技用頭部装着鏡は、運動中の発汗の流れや降りかかる雨をヘッドバンドに留めない事で使用者の不快感発生の問題点解消になる。
【考案が解決しようとする課題、２】
【０００８】  従来技術では、後方を視覚的に知る為の使用者面前の鏡と、使用者の眼の位置を距離的に調節する簡素な方法が無いという問題点が有った。
【課題を解決する為の手段】
【０００９】  本考案は、使用者の面前の鏡とヘッドバンドとの間に、耳前ストッパーから繰り出す被覆線を用いて繋ぎ、被覆線を曲げたり伸ばしたりする事で、使用者面前の鏡と使用者の眼の位置との距離の調節が出来る。
【考案の効果】
【００１０】  上述のように本考案の陸上競技用頭部装着鏡は使用者の耳前ストッパーから繰り出す被覆線の被覆によって金属線の疲労による断線時の落下を防止し、被覆線の曲げ伸ばしによって使用者の眼の位置と鏡の位置を容易に調節出来、上記の問題点を解決出来る。
【考案が解決しようとする課題、３】
【００１１】  陸上競技中に後方を面前の鏡で視覚的に確認する為には、一面の鏡だけでは他の競技者との接触が危ういような横手方向に長い鏡を使用しなければならないという問題点が有った。
【課題を解決する為の手段】
【００１２】  本考案は、使用者面前の左右の鏡を一面でなく、複数面の角度を持つ鏡にする事で狭角視野を広角視野に出来る。
【考案の効果】
【００１３】  上述のように本考案の陸上競技用頭部装着鏡は、使用者面前に複数面の角度を備えた小型の鏡を使用する事で広角視野を実現出来る。
【図面の簡単な説明】
【００１４】
【図１】本考案の平面図である。
【図２】本考案の正面図である。
【図３】本考案を斜め上後方から見た全体図である。
【考案を実施する為の形態】
【００１５】  隙間付きのヘッドバンドを頭部に装着し、ヘッドバンドの付いているアジャスターと、揉み上げ部の耳前ストッパーとで頭部に固定する。耳前ストッパーから伸びている被覆線を曲げ伸ばし方法によって、被覆線先の後方向け鏡が使用者の適宜な位置と角度に調節する。
【実施例】
【００１６】  以下、添付図に従って一実施例を説明します。
６，の耐久性のプラスチック等適宜材にて成形されたヘッドバンドの途中の左右２箇所に７，の伸縮用のアジャスターを付ける。６，のヘッドバンドは後頭部から左右の揉み上げまで達し、その揉み上げを押さえないように５，の湾曲した４，の耳前ストッパーの先には、３，の被覆線を差し込む穴を飽けている。【００１７】  ３，の被覆線を上記（００１６）の穴に差し込んで工業用の接着剤にて接着し硬化する。【００１８】  １，の複数面の鏡と、２，の耐久性のプラスチック等材にて一体化成形した鏡のケースの上側には穴を開け、６，のヘッドバンドの先端の４，の耳前ストッパーの穴に差し込んだ３，の被覆線の反対側をその穴に差し込んで工業用の接着剤にて接着し、硬化する。
【符号の説明】
【００１９】１．複数面の鏡。
２．鏡のケース。
３．被覆線。
４．耳前ストッパー。
５．汗抜きの隙間。
６．ヘッドバンド。
７．アジャスター。
【図１】
0003170499.tif 000003
【図２】
0003170499.tif 000004
【図３】
0003170499.tif 000005
【手続補正書】
【提出日】平成23年7月2日(2011.7.2)
【手続補正１】
【補正対象書類名】実用新案登録請求の範囲
【補正対象項目名】全文
【補正方法】変更
【補正の内容】
【実用新案登録請求の範囲】
【請求項１】
走行運動中に後方を視覚的に確認する鏡を左右面前に設ける為に、ヘッドバンドを用いて左右面前の鏡を繋げるが、発する汗の流れ道にする為にヘッドバンドを頭の形状に沿わせず、ヘッドバンドの所々に隙間を設けた構造を特徴とする陸上競技用頭部装着鏡。
【請求項２】
走行運動中に後方を視覚的に確認する鏡を左右面前に設ける為に、左右の耳架けから延ばした被覆線の先に鏡を取り付け、被覆線を曲げたり伸ばしたりする事で、被覆によって金属疲労による断線時にも落下防止をしながら鏡を使用者の焦点に合わせる事を特徴とする請求項１記載の陸上競技用頭部装着鏡。
【請求項３】
走行運動中に後方を視覚的に確認する鏡を左右面前に設ける為に、前記鏡を角度を付けた複数の一体型鏡とした事を特徴とする請求項２に記載の陸上競技用頭部装着鏡。
(57)【要約】【課題】新聞や雑誌をめくるとき指が滑ったりしてめくりにくいことがあるが、スティック糊の接着性を利用すると簡単にめくれる。ただし、紙面を読んでいる間に糊が乾くのを防ぐために、従来のスティック糊では頻繁にキャップの着脱をしなければならないが、キャップを使用することなく糊出口の開閉が容易にできるようにする。また、本来の糊として使用するとき蓋が邪魔にならないようにする。【解決手段】糊出口にかぶせる蓋と糊本体とを柔軟性部材で連結し、蓋を開いているときは蓋を糊本体の外壁に仮止めできるようにする。【選択図】図１
0003170492.tif 000002
【実用新案登録請求の範囲】
【請求項１】
固形糊を収容する筒体１と糊を出し入れするためのグリップ９と糊出口３を閉じるための蓋５から成るスティック糊において、筒体１と蓋５を連結部４の柔軟性部材で連結したことを特徴とするスティック糊
【請求項２】
請求項１に記載のスティック糊において、筒体１の外壁に蓋５を仮止めできるようにしたことを特徴とするスティック糊
【考案の詳細な説明】
【技術分野】
【０００１】本考案は、固形糊を収容する筒体と蓋を連結し、蓋を開いているとき蓋を筒体の外壁に仮止めできるように考案したスティック糊に関するものである。
【背景技術】
【０００２】従来は、糊出口を閉じるための蓋を開いているとき、蓋を筒体の外壁に仮止めできるスティック糊はなかった。
【先行技術文献】
【考案の概要】
【考案が解決しようとする課題】
【０００３】新聞や雑誌をめくるとき指が滑ったりしてめくりにくいことがあるが、スティック糊の接着性を利用すると簡単にめくれる。ただし、紙面を読んでいる間に糊が乾くのを防ぐために、従来のスティック糊では頻繁にキャップの着脱をしなければならないが、キャップを使用することなく糊出口の開閉が容易にできるようにする。
また、本来の糊として使用するとき蓋が邪魔にならないようにする。
【課題を解決するための手段】
【０００４】課題を解決するための手段の例を次に示す。【０００５】筒体１と蓋５を連結部４の柔軟性部材で連結し、蓋５を閉じたとき筒体１に設けた突起２が蓋５の爪６の窪みにはまり、蓋５を仮止めできるようにする。【０００６】蓋５を開いているとき蓋５に設けた凸部７が筒体１の外壁に設けた凹部８にはまり蓋５を仮止めできるようにする。
【考案の効果】
【０００７】新聞や雑誌などをめくるとき指が滑ったりしてめくりにくいことがあるが、本考案のスティック糊を利用すると簡単にめくれる。
また、指先が不自由で新聞や雑誌などをめくりにくい人にも本考案のスティック糊が便利である。【０００８】また、糊本体と蓋を連結し一体化するので蓋を見失ったりすることがないとともに、片手だけでも蓋の開閉ができるので便利である。
勿論のこと糊本来の接着剤としても使用できる。
【図面の簡単な説明】
【０００９】
【図１】蓋５を開いたときのスティック糊全体の斜視図である。
【図２】蓋５を筒体１の上端にかぶせたときの断面図である。
【図３】開いた蓋５を筒体１の外壁に仮止めしたときの断面図である。
【考案を実施するための最良の形態】
【００１０】蓋５を開くとき爪６の下端を紙面や床に触れさせて筒体１を手前に引くことにより蓋５が開くようにするために、爪６の紙面などに触れる部分は滑らないようにするために角張らせる。
勿論のこと爪６を指で押して蓋５を開くことができるようにする。【００１１】筒体１の上端にリング状のゴム製パッキンをはめ、蓋５を閉じたとき内部の気密性が保たれるようにする。
【産業上の利用可能性】
【００１２】既存のスティック糊の製法を活用できることと、構造が単純なため低コストで量産し易い。
【符号の説明】
【００１３】１  筒体
２  突起
３  糊出口
４  連結部
５  蓋
６  爪
７  凸部
８  凹部
９  グリップ
【図１】
0003170492.tif 000003
【図２】
0003170492.tif 000004
【図３】
0003170492.tif 000005
【手続補正書】
【提出日】平成23年7月1日(2011.7.1)
【手続補正１】
【補正対象書類名】実用新案登録請求の範囲
【補正対象項目名】請求項２
【補正方法】変更
【補正の内容】
【請求項２】
請求項１に記載のスティック糊において、筒体１の外壁に設けた凹部８に蓋５に設けた凸部７を嵌めることにより筒体１の外壁に蓋５を仮止めできるようにしたことを特徴とするスティック糊